【事件の表示】
　特許第２９６６７８１号「立体画像表示装置の制御方法」の請求項１、４及び５に係る特許に対する特許異議の申立てについて、次のとおり決定する。
【結　論】
　訂正を認める。
　本件特許異議の申立てを却下する。
【理　由】
１．手続の経緯
　本件は、平成７年１１月１６日に特許出願され、平成１１年８月１３日に特許第２９６６７８１号として特許権の設定登録がなされ、その後、キャノン株式会社より請求項１、４及び５について特許異議の申立がなされ、取消理由通知がなされ、その指定期間内である平成１２年９月５日に訂正請求がなされたものである。
２．訂正の適否についての判断
（１）訂正事項
ａ．特許請求の範囲の請求項１ないし５において、もとの請求項１、４及び５を削除し、以下項数を繰り上げ「１、２」と訂正する。
ｂ．明細書の段落番号００１０の記載
「【課題を解決するための手段】この発明による立体画像表示装置の制御方法は、平面ディスプレイとその前面または背面に配置されたパララックスバリアとを備えた立体画像表示装置の制御方法において、パララックスバリアの遮光部の水平方向位置を所定のタイミングで切り換えるとともに、その切り換えと同期して左目用画像と右目用画像の表示位置を切り換えることを特徴とする。」を
「【課題を解決するための手段】この発明による立体画像表示装置の制御方法は、平面ディスプレイとその前面または背面に配置されたパララックスバリアとを備えた立体画像表示装置の制御方法において、パララックスバリアの遮光部の水平方向位置を、平面ディスプレイの画面全体が非発光状態になるときに切り換えるとともに、その切り換えと同期して左目用画像と右目用画像の表示位置を切り換えることを特徴とする。」と訂正する。
ｃ．明細書の段落番号００１１の記載
「平面ディスプレイとして、ＤＣ型プラズマディスプレイ、ＡＣ型プラズマディスプレイ等のように、画像表示時に平面ディスプレイの画面全体が非発光状態になることがあるディスプレイが用いられている場合には、パララックスバリアの遮光部の水平方向位置は、平面ディスプレイの画面全体が非発光状態になるときに切り換えられる。つまり、平面ディスプレイとして、ＤＣ型プラズマディスプレイが用いられている場合には、パララックスバリアの遮光部の水平方向位置は、１フィールド毎に切り換えられる。平面ディスプレイとして、ＡＣ型プラズマディスプレイが用いられているときには、パララックスバリアの遮光部の水平方向位置は、１フィールド毎、１サブフレーム毎または複数のサブフレーム毎に切り換えられる。」を
「これにより、平面ディスプレイとして、ＤＣ型プラズマディスプレイ、ＡＣ型プラズマディスプレイ等のように、画像表示時に平面ディスプレイの画面全体が非発光状態になることがあるディスプレイが用いられている場合には、パララックスバリアの遮光部の水平方向位置は、平面ディスプレイの画面全体が非発光状態になるときに切り換えられる。つまり、平面ディスプレイとして、ＤＣ型プラズマディスプレイが用いられている場合には、パララックスバリアの遮光部の水平方向位置は、１フィールド毎に切り換えられる。平面ディスプレイとして、ＡＣ型プラズマディスプレイが用いられているときには、パララックスバリアの遮光部の水平方向位置は、１フィールド毎、１サブフレーム毎または複数のサブフレーム毎に切り換えられる。」と訂正する。
ｄ．明細書の段落番号００１３および００１４の記載を削除する。
（２）訂正の目的の適否、新規事項の有無及び拡張・変更の存否
　上記訂正事項ａは、請求項１、４及び５を削除するもので、特許請求の範囲の減縮を目的とするものである。
　また、もとの請求項２及び３は、請求項１、４及び５の削除に伴い、請求番号を変更するとともに、引用形式の記載を独立形式の記載に変更したものであって、もとの請求項２及び３について実質的な訂正はなされていない。
　そして、上記訂正事項ａは、願書に添付した明細書または図面に記載した事項の範囲内の訂正であり、実質上特許請求の範囲を拡張し又は変更するものではない。
　上記訂正事項ｂないしｄは、上記訂正事項ａの訂正による特許請求の範囲の記載と発明の詳細な説明の記載との整合をとるための訂正であり、明瞭でない記載の釈明を目的とするものである。
　そして、上記訂正事項ｂないしｄはいずれも、願書に添付した明細書または図面に記載した事項の範囲内の訂正であり、また特許請求の範囲を拡張しまたは変更するものでもない。
（３）むすび
　以上のとおりであるから、上記訂正は、いずれも、特許法第１２０条の４第２項の規定並びに同条第３項で準用する特許法第１２６条第２項及び第３項の規定に適合するので、当該訂正を認める。
３．特許異議の申立についての判断
　特許異議の申立に係る本件訂正前の請求項１、４及び５に係る発明は、訂正の結果削除されたので、特許異議の申立の対象が存在しない。
　よって、結論のとおり決定する。
【異議決定日】
平成１２年１０月４日（２０００．１０．４）
【訂正の要旨】
訂正の要旨
ａ．特許請求の範囲の請求項１ないし５において、もとの請求項１、４および５を削除し、以下項数を繰り上げ「１、２」と訂正する。
ｂ．明細書の段落番号００１０の記載
「【課題を解決するための手段】この発明による立体画像表示装置の制御方法は、平面ディスプレイとその前面または背面に配置されたパララックスバリアとを備えた立体画像表示装置の制御方法において、パララックスバリアの遮光部の水平方向位置を所定のタイミングで切り換えるとともに、その切り換えと同期して左目用画像と右目用画像の表示位置を切り換えることを特徴とする。」を
「【課題を解決するための手段】この発明による立体画像表示装置の制御方法は、平面ディスプレイとその前面または背面に配置されたパララックスバリアとを備えた立体画像表示装置の制御方法において、パララックスバリアの遮光部の水平方向位置を、平面ディスプレイの画面全体が非発光状態になるときに切り換えるとともに、その切り換えと同期して左目用画像と右目用画像の表示位置を切り換えることを特徴とする。」と訂正する。
ｃ．明細書の段落番号００１１の記載
「平面ディスプレイとして、ＤＣ型プラズマディスプレイ、ＡＣ型プラズマディスプレイ等のように、画像表示時に平面ディスプレイの画面全体が非発光状態になることがあるディスプレイが用いられている場合には、パララックスバリアの遮光部の水平方向位置は、平面ディスプレイの画面全体が非発光状態になるときに切り換えられる。つまり、平面ディスプレイとして、ＤＣ型プラズマディスプレイが用いられている場合には、パララックスバリアの遮光部の水平方向位置は、１フィールド毎に切り換えられる。平面ディスプレイとして、ＡＣ型プラズマディスプレイが用いられているときには、パララックスバリアの遮光部の水平方向位置は、１フィールド毎、１サブフレーム毎または複数のサブフレーム毎に切り換えられる。」を
「これにより、平面ディスプレイとして、ＤＣ型プラズマディスプレイ、ＡＣ型プラズマディスプレイ等のように、画像表示時に平面ディスプレイの画面全体が非発光状態になることがあるディスプレイが用いられている場合には、パララックスバリアの遮光部の水平方向位置は、平面ディスプレイの画面全体が非発光状態になるときに切り換えられる。
つまり、平面ディスプレイとして、ＤＣ型プラズマディスプレイが用いられている場合には、パララックスバリアの遮光部の水平方向位置は、１フィールド毎に切り換えられる。平面ディスプレイとして、ＡＣ型プラズマディスプレイが用いられているときには、パララックスバリアの遮光部の水平方向位置は、１フィールド毎、１サブフレーム毎または複数のサブフレーム毎に切り換えられる。」と訂正する。
ｄ．明細書の段落番号００１３および００１４の記載を削除する。
（５４）【発明の名称】
立体画像表示装置の制御方法
（５７）【特許請求の範囲】
　　【請求項１】　平面ディスプレイとその前面または背面に配置されたパララックスバリアとを備えた立体画像表示装置の制御方法において、
　パララックスバリアの遮光部の水平方向位置を
、平面ディスプレイの画面全体が非発光状態になるときに
　　【請求項２】　
パララックスバリアが、水平方向に間隔をおいて形成された複数の縦長の透明電極を有する液晶パネルから構成され、奇数列の透明電極と偶数列の透明電極との間で、電圧の印加が切り換えられることにより、パララックスバリアの遮光部の水平方向位置が切り換えられる
【発明の詳細な説明】
　【０００１】
　　【発明の属する分野】
　この発明は、平面ディスプレイの前面または背面にパララックスバリアが配置されており、特殊な眼鏡を使用せずに立体画像を表示できるパララックス方式の立体画像表示装置の制御方法に関する。
　【０００２】
　　　【従来の技術】
　図１１は、従来のパララックス方式の立体画像表示装置を示している。
　【０００３】
　立体画像表示装置は、ＡＣ型プラズマディスプレイ、ＤＣ型プラズマディスプレイ、液晶ディスプレイ等の平面ディスプレイ１１０と、その前側に配置されたパララックスバリア１２０とを備えている。パララックスバリア１２０は、透光部１２１と遮光部１２２とが水平方向に交互に配されている。
　【０００４】
　立体画像表示装置には、図１２（ａ）に示すように、左目用画像２００Ｌと右目用画像２００Ｒとが送られてくる。立体画像表示装置は、図１２（ｂ）に示すように、送られてきた左目用画像２００Ｌが水平方向に間引かれた縦長の短冊状の左目用画像２０１Ｌと、送られてきた右目用画像２００Ｒが水平方向に間引かれた縦長の短冊状の右目用画像２０１Ｒとを生成する。そして、立体画像表示装置は、図１２（ｃ）および図１１に示すように、平面ディスレイ１１０に左目用の短冊画像（Ｌ）と右目用の短冊画像（Ｒ）とを水平方向に交互に並べて表示させる。
　【０００５】
　観察者が、パララックスバリア１２０を介して平面ディスレイ１１０上の画像を観察すると、左目３００Ｌには左目用の短冊状の画像２０１Ｌのみが見え、右目３００Ｒには右目用の短冊状の画像２０１Ｒのみが見える。
　【０００６】
　図１３および図１４は、従来のパララックスバリア１２０の構成を示している。
　【０００７】
　パララックスバリア１２０は、互いに平行に配された２枚の透明ガラス１３１、１３２と、各透明ガラス１３１、１３２の内面の対向する位置に形成された透明電極１３３、１３４と、各透明ガラス１３１、１３２間に封入された液晶１３５と、光出射側に配置された偏光板１３６とからなる。透明電極１３３、１３４は、水平方向に等間隔をおいて複数本形成されている。透明電極１３３、１３４に電圧を印加すると、対向する透明電極１１３、１３４の部分が不透明となる。
つまり、透明電極１３３、１３４の配置されている部分が、遮光部１２２となる。
　【０００８】
　　【発明が解決しようとする課題】
　従来のパララックスバリア１２０では、透光部１２１と、遮光部１２２との位置は、固定されている。このため、観察者の左目３００Ｌおよび右目３００Ｒは、それぞれ平面ディスプレイ１１０の水平画像数の１／２の画素数の画素であってかつ同じ位置の画素しか観察することができないため、水平解像度が低いという問題がある。
　【０００９】
　この発明は、パララックスバリアを形成しない平面画像表示時に近い水平解像度が得られる立体画像表示装置の制御方法を提供することを目的とする。
　【００１０】
　　　【課題を解決するための手段】
　この発明による立体画像表示装置の制御方法は、平面ディスプレイとその前面または背面に配置されたパララックスバリアとを備えた立体画像表示装置の制御方法において、パララックスバリアの遮光部の水平方向位置を
、平面ディスプレイの画面全体が非発光状態になるときに
　【００１１】
　
これにより、
　つまり、平面ディスプレイとして、ＤＣ型プラズマディスプレイが用いられている場合には、パララックスバリアの遮光部の水平方向位置は、１フィールド毎に切り換えられる。平面ディスプレイとして、ＡＣ型プラズマディスプレイが用いられているときには、パララックスバリアの遮光部の水平方向位置は、１フィールド毎、１サブフレーム毎または複数のサブフレーム毎に切り換えられる。
　【００１２】
　平面ディスプレイとして、ＤＣ型プラズマディスプレイまたはＡＣ型プラズマディスプレイが用いられているときには、パララックスバリアとしては、たとえば、水平方向に間隔をおいて形成された複数の縦長の透明電極を有する液晶パネルから構成されたものが用いられる。そして、奇数列の透明電極と偶数列の透明電極との間で、電圧の印加が切り換えられることにより、パララックスバリアの遮光部の水平方向位置が切り換えられる。
　【００１３】
　　【発明の実施の形態】
　以下、図１〜図１０を参照して、この発明の実施の形態について説明する。
　【００１４】
　図１は、パララックス方式の立体画像表示装置を示している。
　【００１５】
　立体画像表示装置は、図示しない表示制御回路と、ＡＣ型プラズマディスプレイまたはＤＣ型プラズマディスプレイからなる平面ディスプレイ１１と、その前側に配置されたパララックスバリア１２とを備えている。
　【００１６】
　図３および図４は、パララックスバリア１２の構成を示している。
　【００１７】
　パララックスバリア１２は、互いに平行に配された２枚の透明ガラス２１、２２と、各透明ガラス２１、２２の内面の対向する位置に形成された透明電極２３、２４と、各透明ガラス２１、２２間に封入された液晶２５と、光出射側に配置された偏光板２６とからなる。透明電極２３、２４は、図１３に示す従来のパララックスバリア１２０に比べて、水平方向に２倍の密度で設けられている。透明電極２３、２４には、奇数列群と偶数列群ごとに電圧が印加される。奇数列群への電圧の印加と偶数列群への電圧の印加の切り換えは、平面ディスプレイ１１の画面全体が非発光状態になるときに行なわれる。
　【００１８】
　平面ディスプレイ１１としてＤＣ型プラズマディスプレイが用いられているときには、１フィールド毎に、奇数列の透明電極２３、２４への電圧の印加と偶数列の透明電極２３、２４への電圧の印加の切り換えが行なわれる。平面ディスプレイ１１としてＡＣ型プラズマディスプレイが用いられているときには、１フィールド毎またはサブフィールド毎に、奇数列の透明電極２３、２４への電圧の印加と偶数列の透明電極２３、２４への電圧の印加の切り換えが行なわれる。
　【００１９】
　図１は、偶数列の透明電極２３、２４に電圧が印加された場合を示している。また、図２は、奇数列の透明電極２３、２４に電圧が印加された場合を示している。図１および図２において、パララックスバリア１２のうち、斜線が入れられた部分が遮光部であり、斜線が入れられていない部分が透光部である。
　【００２０】
　立体画像表示装置には、図５（ａ）に示すように、左目用画像２００Ｌと右目用画像２００Ｒとが送られてくる。表示制御回路は、図５（ｂ）に示すように、左目用画像２００Ｌおよび右目用画像２００Ｒをそれぞれ縦長の短冊状の画像に分解する。そして、図５（ｃ）に示すように、パララックスバリア１２の遮光部の形成位置に応じて、平面ディスレイ１１に左目用の短冊画像と右目用の短冊画像とを水平方向に交互に並べて表示させる。
　【００２１】
　この例では、図１に示すように、偶数列の透明電極２３、２４に電圧が印加された場合には、奇数列の右目用の短冊画像（Ｒ１、Ｒ３…Ｒ７）と、偶数列の左目用の短冊画像（Ｌ２、Ｌ４…Ｌ８）とが水平方向に交互に並んで表示される。また、図２に示すように、奇数列の透明電極２３、２４に電圧が印加された場合には、奇数列の左目用の短冊画像（Ｌ１、Ｌ３…Ｌ７）と、偶数列の右目用の短冊画像（Ｒ２、Ｒ４…Ｒ８）とが水平方向に交互に並んで表示される。
　【００２２】
　つまり、パララックスバリア１２の透明電極２３、２４の奇数列群への電圧の印加と偶数列群への電圧の印加の切り換えと同期して、偶数列に表示される画像と奇数列に表示される画像とが、左目用の短冊画像と右目用の短冊画像との間で切り換えられる。このようにすると、観察者の左目３００Ｌに対しては水平方向にインターレース表示した左目用画像が提供され、観察者の右目３００Ｒに対しては水平方向にインターレース表示した右目用画像が提供されるので、パララックスバリアを形成しない平面画像表示時に近い画質、水平解像度が得られる。
　【００２３】
　図６は、平面ディスプレイ１１としてＡＣ型プラズマディスプレイが用いられているときにおいて、奇数列の透明電極２３、２４への電圧の印加と偶数列の透明電極２３、２４への電圧の印加の切り換えが１フィールド毎に行なわれている場合のタイムチャートを示している。
　【００２４】
　図７は、平面ディスプレイ１１としてＡＣ型プラズマディスプレイが用いられているときにおいて、奇数列の透明電極２３、２４への電圧の印加と偶数列の透明電極２３、２４への電圧の印加の切り換えがサブフィールド毎に行なわれている場合のタイムチャートを示している。
　【００２５】
　図６および図７においては、１フィールド内にサブフィールドが６つ存在する例を示している。つまり、画像を６４階調で表示する例を示している。１フィールド内において、最も長い発光時間（最大階調）を”２６（＝６４）”とすると、発光時間（維持期間）は、”３２”、”１６”、”８”、”４”、”２”、”
１”の６段階に分けられている。そして、各維持期間の前の書き込み期間で、当該維持期間の間、発光させる画素が指定される。例えば、１フィールド内において、発光時間が”４０”である画素については、”３２”の維持期間の前の書き込み期間および”８”の維持期間の前の書き込み期間において、その画素が指定される。
　【００２６】
　上記実施の形態では、平面ディスプレイとして、プラズマディスプレイを用いた場合について説明したが、平面ディスプレイとして、液晶ディスプレイ１１Ａ（図１０参照）を用いた場合の実施の形態について説明する。
　【００２７】
　液晶ディスプレイでは、画像表示時において、画面全体が非発光状態になるときがない。したがって、パララックスバリアの遮光部と透光部の切り換えを、垂直走査に合わせて行なう。また、左目用画像と右目用画像の表示位置の切り換えも、垂直走査に合わせて行なう。
　【００２８】
　パララックスバリアの遮光部と透光部の切り換えを、垂直走査に合わせて行なうために、パララックスバリア１２Ａとしては、図８および図９に示すものが用いられる。
　【００２９】
　パララックスバリア１２Ａは、互いに平行に配された２枚の透明ガラス３１、３２と、一方の透明ガラス３１の内面に水平方向に等間隔をおいて形成された複数本の縦長の第１透明電極３３と、他方の透明ガラス３２の内面に垂直方向に間隔をおいて形成された複数本の横長の第２透明電極３４と、透明ガラス３１、３２間に封入された液晶３５と、光出射側に配置された偏光板３６とからなる。
　【００３０】
　そして、液晶ディスプレイ１１Ａの各水平ライン毎に、走査が開始されるときに、当該水平ラインに対応する第２透明電極３４に電圧を印加するとともに、第１透明電極３３の奇数列群と偶数列群のうち、前回において当該水平ラインで電圧が印加された列群と反対の方の列群に電圧を印加する。また、液晶ディスプレイ１１Ａの当該水平ラインに表示される左目用画像と右目用画像との表示位置を、前回において当該水平ラインで表示された位置と、逆となるように切り換える
。
　【００３１】
　図１０（ａ）は、１ライン目が走査される場合の、遮光部の位置（斜線で示す）と、左目用画像（Ｌ）と右目用画像（Ｒ）の位置とを示し、図１０（ｂ）は、２ライン目が走査される場合の、遮光部の位置（斜線で示す）と、左目用画像（Ｌ）と右目用画像（Ｒ）の位置とを示し、図１０（ｃ）は、３ライン目が走査される場合の、遮光部の位置（斜線で示す）と、左目用画像（Ｌ）と右目用画像（Ｒ）の位置とを示している。
　【００３２】
　上記のように、パララックスバリアの遮光部と透光部の切り換えならびに左目用画像と右目用画像の表示位置の切り換えを、垂直走査に合わせて行なう場合には、液晶ディスプレイおよびパララックスバリアとしては、高速応答性が要求されるので、強誘電体性液晶パネル、反強誘電体性液晶パネルを使用することが好ましい。
　【００３３】
　　【発明の効果】
　この発明によれば、パララックスバリアを形成しない平面画像表示時に近い水平解像度が得られるようになる。
【図面の簡単な説明】
　　【図１】
　立体画像表示装置の構成を示し、偶数列の透明電極に電圧が印加された場合を示す構成図である。
　　【図２】
　立体画像表示装置の構成を示し、奇数列の透明電極に電圧が印加された場合を示す構成図である。
　　【図３】
　パララックスバリアを示す正面図である。
　　【図４】
　図３のパララックスバリアを示す側面図である。
　　【図５】
　平面ディスプレイに表示される画像を説明するための説明図である。
　　【図６】
　奇数列の透明電極への電圧の印加と偶数列の透明電極への電圧の印加の切り換えが１フィールド毎に行なわれている場合のタイムチャートである。
　　【図７】
　奇数列の透明電極への電圧の印加と偶数列の透明電極への電圧の印加の切り換えがサブフィールド毎に行なわれている場合のタイムチャートである。
　　【図８】
　液晶ディスプレイに対して用いられるパララックスバリアを示す正面図である。
　　【図９】
　図８のパララックスバリアを示す側面図である。
　　【図１０】
　液晶ディスプレイの垂直走査に応じて、パララックスバリアの遮光部と透光部の切り換えならびに左目用画像と右目用画像の表示位置の切り換えが行なわれている様子を示す模式図である。
　　【図１１】
従来の立体画像表示装置の構成を示す構成図である。
　　【図１２】
平面ディスプレイに表示される画像を説明するための説明図である。
　　【図１３】
従来のパララックスバリアを示す正面図である。
　　【図１４】
図１３のパララックスバリアを示す側面図である。
　　【符号の説明】
１１、１１Ａ　平面ディスプレイ
１２、１２Ａ　パララックスバリア